Podtech/llm-jp-corpus-v4-ja_patent huggingface dataset:
(57)【要約】      （修正有）【課題】はがき掛けや短冊掛け、色紙掛け、写真掛けに、はがきや短冊、色紙、写真を見栄え良く、しかも確実に固定する固定具を提供する。【解決手段】はがきや短冊、色紙、写真などの小作品を掛物に固定するための固定具であって、前記掛物の中央部上下に間隔をあけて二本の細長い板状のものを張り付けるもので、上の板状のものにはその裏側の上半分に糊をつけ、下の板状のものにはその裏側の下半分に糊をつけて張り付け、内側にできた隙間に前記小作品を差し込み固定可能としたことを特徴とする。【選択図】図１
0003189777.tif 000002
【実用新案登録請求の範囲】
【請求項１】
本請求は、はがき掛け、短冊掛け、色紙掛け、写真掛け（以降「はがき掛け等」と云う）に、はがき、短冊、色紙、写真等の小作品（以降「はがき等」と云う）を固定し落下しないようにするために、「はがき掛け等」の中央部の上下に間隔をあけて、裏打ち済みの裂や厚紙、プラスチック板等で出来た二本の細長い板状のものを貼り込み、この上下二本の板状のもののそれぞれ内側の隙間に「はがき等」を差し込むことで、「はがき等」を固定する新しい仕組みに関するものである。
【考案の詳細な説明】
【技術分野】
【０００１】  本考案は、はがき掛けや短冊掛け、色紙掛け、写真掛けに、はがきや短冊、色紙、写真を固定する新しい仕組みである。
【背景技術】
【０００２】  従来のはがき掛け、短冊掛け、色紙掛け、写真掛け（以降「はがき掛け等」と云う）は、はがきや短冊、色紙、写真（以降「はがき等」と云う）を固定するため、その中央部四隅に、はがき等を固定する細い紐を斜めに取り付け、ここにはがき等を差し込み固定していた。
しかしこの方法では、はがき等の表面に紐が見えてしまい、作品の見栄えが悪くなるという点と、紐が緩んではがき等が落ちてしまうという欠点を持っていた。
【考案の概要】
【考案が解決しようとする課題】
【０００３】  はがき等の表面に、これを固定する紐が四か所見えてしまい、作品表面の目障りな障害物の感があり、見栄えが悪い。【０００４】  この紐は、細い裂やテグスで出来ており、裂の場合は長年使う内に緩んできてしまい、またテグスの場合は表面が固く滑りやすいため、はがき等が落ちてしまうことが多々ある。
【課題を解決するための手段】
【０００５】  はがき等を固定する方法として、はがき掛け等の中央部の、はがき等の上辺部及び下辺部にあたる部分に細長い板状のものをそれぞれ貼り込み、この板状のもののそれぞれ内側の隙間にはがき等を差し込むことで、これを固定するものである。
本考案は、この細長い板状のもので上下からはがき等を紙ばさみ的に挟み込んで固定するという方法であり、この方法が新規性を有する。またこの板状のものを「一文字」と呼び、これは裏打ち済みの裂や厚紙、プラスチック板等で制作されている。
この一文字をはがき掛け等に貼り込む際は、上と下の一文字それぞれの内側に作品を差し込むための隙間が必要でとなるため、隙間部分を残して他の部分に糊付けする。
【考案の効果】
【０００６】  はがき等の表面には、その観賞を妨げるものは何もなくなり、見栄えが良くなった。更に一文字を付けたことで掛け軸と同じ形式となり、ミニ掛軸としてその観賞性がさらに高まった。【０００７】  はがき等の上辺及び下辺を板ばさみ的に挟み込んであるので、はがき等の落下がなくなった。
【図面の簡単な説明】
【０００８】
【図１】  はがき掛け等を正面から見たときの図である。
【図２】  一文字の構造の図である。図２は上側の一文字を表示してある。
【図１】
0003189777.tif 000003
【図２】
0003189777.tif 000004
【手続補正書】
【提出日】平成25年12月25日(2013.12.25)
【手続補正１】
【補正対象書類名】実用新案登録請求の範囲
【補正対象項目名】全文
【補正方法】変更
【補正の内容】
【実用新案登録請求の範囲】
【請求項１】
はがきや短冊、色紙、写真などの小作品を掛物に固定するための固定具であって、前記掛物の中央部上下に間隔をあけて二本の細長い板状のものを張り付けるもので、上の板状のものにはその裏側の上半分に糊をつけ、下の板状のものにはその裏側の下半分に糊をつけて張り付け、内側にできた隙間に前記小作品を差し込み固定可能としたことを特徴とする固定具。
【手続補正３】
【補正対象書類名】明細書
【補正対象項目名】０００１
【補正方法】変更
【補正の内容】
【０００１】  本考案は、はがき掛けや短冊掛け、色紙掛け、写真掛けに、はがきや短冊、色紙、写真を固定する固定具である。
(57)【要約】      （修正有）【課題】車道と歩道を区分する境界ブロックに設置され、出入口部の明示効果と車両等の衝突や接触時のダメージを軽減する境界ブロックカバーを提供する。【解決手段】車道と歩道を区分する境界ブロック１００表面を覆うように形成された内カバーとその表面を緩衝材１１で覆われた境界ブロックカバーとし、更に、表面を蛍光塗料や再帰反射性塗料等で塗装し、視認性の向上と明示効果を図る。【選択図】図１
0003189929.tif 000002
【実用新案登録請求の範囲】
【請求項１】
車道と歩道を区分する境界ブロックにおいて、端部、境界ブロックの表面を覆うように形成された内カバーと、その表面を覆う緩衝材から成る境界ブロックカバー。
【請求項２】
内カバーを持たないで、緩衝材だけからなることを特徴とする、請求項１に記載の境界ブロックカバー。
【考案の詳細な説明】
【技術分野】
【０００１】  本考案は、一般道において、車道と歩道を区分する境界ブロックに用いるもので、境界ブロック端の明示効果の向上と車両の保護を目的とする、境界ブロックカバーに関するものである。
【背景技術】
【０００２】  従来、境界ブロックの端部を明示する方法として、境界ブロック端部の表面を蛍光塗料で直接塗装したものがある。【０００３】  また、境界ブロックの上面に光再帰性反射を有する、小型標識物を取付ける方法（特許文献１参照）。【０００４】  他に、境界ブロックの上面に反射材を埋め込んだゴム製シートを取付ける方法（特許文献２参照）。【０００５】  その他に、反射体を有する反射具を境界ブロックの両側面部を挟み付ける様にして、取付けたものなどがある（特許文献３参照）。
【先行技術文献】
【特許文献】
【０００６】
【特許文献１】特開２００９−２６３９６５
【特許文献２】特開２０１２−１４０８３９
【特許文献３】特開平１０−１７６３１３
【考案の概要】
【考案が解決しようとする課題】
【０００７】  解決しようとする課題は、前述の標識具は、境界ブロックの明示効果や視線誘導を主に考えられた物であり、車両の境界ブロックへの衝突や接触によるダメージを軽減するものではない。【０００８】  本考案は、このような問題点を考慮してなされたもので、境界ブロックの端部に設置し車道から歩道への出入口の明示効果と車両の境界ブロックへの衝突や接触によるダメージの軽減を考慮したものである。
【課題を解決するための手段】
【０００９】  上記課題を解決するための請求項１の考案は、境界ブロックの端部表面を覆うように形成された、境界ブロックカバーにおいて、内カバーの外部表面を緩衝材で被覆したことを特徴とする。【００１０】  請求項２の考案は、請求項１に記載の境界ブロックカバーおいて、内カバーを持たないで緩衝材だけで構成したことを特徴とする。
【考案の効果】
【００１１】  車道から歩道へ車両が出入りする上で、出入口部の境界ブロックに実施することで出入口の視認性と明示効果の向上が得られる。更に、境界ブロックカバーの表面を蛍光塗料や再帰反射性塗料等で塗装することで、視認性の向上を図ることができる。【００１２】  そして、表面を発泡ゴムやポリウレタンなどの緩衝材で覆うことで、車両等が境界ブロックへの衝突や接触を起こしたとき、ダメージを軽減することができる。
【図面の簡単な説明】
【００１３】
【図１】本考案の実施形態を示した斜視図である。
【図２】本考案の実施形態を示した斜視図である。
【図３】本考案の実施形態を長手方向で断面した断面図である。
【図４】本考案の実施形態を幅方向で断面した断面図である。
【図５】本考案の実施形態を幅方向で断面した断面図である。
【図６】本考案の実施形態を幅方向で断面した断面図である。
【考案を実施するための形態】
【００１４】  以下、本考案の形態を図に基づいて説明する。
【００１５】  図１は、この実施形態に係る境界ブロックカバーの実施形態を示す斜視図である
境界ブロック１００の表面ａ，ｂ，ｃ，ｄを覆うように形成された、内カバー２２とその外面を緩衝材（１）１１で覆われた形状とし、上面の一部には凸部（１）１１ａを有する更に、図４に示すように、境界ブロック面ａ，ｂを挟持する挟持用螺子３３を備える。
【００１６】  図２は、この実施形態に係る境界ブロックカバーの実施形態を示す斜視図である
境界ブロック１００の表面ｂ，ｃ，ｄを覆うように形成された緩衝材（２）４４であり緩衝材Ｂ４４の上面の一部には、凸部（２）４４ａを有する、図５に示すように境界ブロック１００の表面ｃに雌螺子板（１）６６を設け、緩衝材（２）４４側に取付板（１）５５を有し、螺子７７にて固定する。容易に外せない構造とし、いたずらを防止する。
【００１７】  図６は、内カバー２２を持たない緩衝材（１）１１だけの構成とする。
境界ブロック１００への固定方法は、境界ブロック１００側へ雌螺子板（２）９９を設け緩衝材（１）１１側には、取付板（２）８８を構成し螺子７７にて固定する。
【００１８】緩衝材（１），（２）１１，４４の材質は、発泡ゴムやポリウレタン製から成り、車両等が衝突や接触時の、ダメージを緩和する材質とした。
【００１９】  緩衝材（１），（２），１１，４４の表面Ｍには、再帰反射性塗料や蛍光塗料を塗装し夜間や雨天時における境界ブロック１００の出入口部の明示効果と視認性の向上を図る。
【００２０】  内カバー２２や緩衝材（１）１１と緩衝材（２）４４の境界ブロック１００への取付けは、接着やマジックファスナー又はマグネット等で行っても良い。
【００２１】  緩衝材（１）１１，緩衝材（２）４４の材質は、発泡ゴムやポリウレタンに限定するものではない。
【符号の説明】
【００２２】１１    緩衝材（１）
１１ａ  凸部（１）
２２    内カバー
３３    挟持用螺子
４４    緩衝材（２）
４４ａ  凸部（２）
５５    取付板（１）
６６    雌螺子板（１）
７７    螺子
８８    取付板（２）
９９    雌螺子板（２）
１００  境界ブロック
ａ      境界ブロック表面
ｂ      境界ブロック表面
ｃ      境界ブロック表面
ｄ      境界ブロック表面
Ｍ      緩衝材表面
Ｓ      車道
Ｈ      歩道
【図１】
0003189929.tif 000003
【図２】
0003189929.tif 000004
【図３】
0003189929.tif 000005
【図４】
0003189929.tif 000006
【図５】
0003189929.tif 000007
【図６】
0003189929.tif 000008
(57)【要約】【課題】優れた汚れ落とし効果が得られる歯ブラシを提供する。【解決手段】歯ブラシ１０１のヘッド部５が、マグネシウム、マグネシウム合金、及び、マグネシウム合金以外のマグネシウム化合物よりなる群から選ばれるマグネシウム系物質を含有するので、歯の汚れ落とし効果が得られる。【選択図】図２
0003189979.tif 000002
【実用新案登録請求の範囲】
【請求項１】
ハンドル部の一端に設けられた植毛台部に毛材を植毛したヘッド部を有する歯ブラシにおいて、当該ヘッド部がマグネシウム、マグネシウム合金、及び、マグネシウム合金以外のマグネシウム化合物よりなる群から選ばれるマグネシウム系物質を含有することを特徴とする歯ブラシ。
【請求項２】
前記植毛台部の植毛面に、前記マグネシウム系物質を含有する樹脂フィルムを積層した請求項１に記載の歯ブラシ。
【請求項３】
前記マグネシウム系物質は、水と反応して水素を発生する物質である請求項１又は２に記載の歯ブラシ。
【考案の詳細な説明】
【技術分野】
【０００１】
本考案は歯ブラシに関する。
【背景技術】
【０００２】
従来、様々な歯ブラシが知られている（特許文献１、２）。しかし、歯ブラシに歯磨きペーストをつけて丁寧に歯を磨いたつもりでも、汚れが充分に落ちていない場合がある。このような歯の汚れ残りは、長期的には虫歯（齲歯）や歯の黄ばみが生じる原因になる。
【先行技術文献】
【特許文献】
【０００３】
【特許文献１】特開２０１３−２５２３０８号公報
【特許文献２】特開２０１３−２２０１８６号公報
【考案の概要】
【考案が解決しようとする課題】
【０００４】
本考案は、虫歯（齲歯）予防等の衛生上の観点または白い歯の維持等の美容上の観点から、優れた汚れ落とし効果が得られる歯ブラシを提供することを目的とする。
【課題を解決するための手段】
【０００５】
本考案は、
（１）ハンドル部の一端に設けられた植毛台部に毛材を植毛したヘッド部を有する歯ブラシにおいて、当該ヘッド部がマグネシウム、マグネシウム合金、及び、マグネシウム合金以外のマグネシウム化合物よりなる群から選ばれるマグネシウム系物質を含有することを特徴とする歯ブラシ、
（２）前記植毛台部の植毛面に、前記マグネシウム系物質を含有する樹脂フィルムを積層した前記第（１）項に記載の歯ブラシ、及び、
（３）前記マグネシウム系物質は、水と反応して水素を発生する物質である前記第（１）項又は第（２）項に記載の歯ブラシ、である。
【考案の効果】
【０００６】
本考案により提供される歯ブラシを用いて歯を磨くと、ヘッド部に含まれるマグネシウム系物質によって歯の汚れを落とすことができる。
【図面の簡単な説明】
【０００７】
【図１】本考案の歯ブラシの一例（歯ブラシ１０１）の正面図である。
【図２】本考案の歯ブラシの一例（歯ブラシ１０１）の側面図である。
【考案を実施するための形態】
【０００８】
図１及び図２に、本考案に属する歯ブラシ１０１を示す。歯ブラシ１０１の本体１は、手で握る部位であるハンドル部２と、当該ハンドル部の一端に設けられた植毛台部３からなる。植毛台部３の正面側には、毛材４（ブリッスルとも呼ばれる）が植毛され、ヘッド部５を構成する。
本体１は、例えばポリプロピレン等の合成樹脂からなる。また、毛材４としては、例えばナイロン等の合成樹脂からなるモノフィラメントが用いられる。
歯ブラシの植毛方法としては、融着植毛及び平線植毛が一般的である。融着植毛は、毛材の基端部を植毛台部に融着することにより、毛材を固定する方法である。また平線植毛は、植毛台部に植毛穴を設け、毛材の束を二つ折りし、毛材の束の折り曲げ部を植毛穴に挿入し、当該折り曲げ部の内側に平線をわたし、平線の両端を植毛台部に固定することにより、毛材を固定する方法である。
【０００９】
ヘッド部５の少なくとも一部には、マグネシウム、マグネシウム合金、マグネシウム合金以外のマグネシウム化合物よりなる群から選ばれる物質（マグネシウム系物質を総称する）が含有されている。ヘッド部のどの部分にマグネシウム系物質が含有されていても良い。毛材が合成樹脂からなる場合には、あらかじめマグネシウムを混合しフィラメント化した毛材を用いることができる。またマグネシウム系物質を含有する部材をヘッド部に固着しても良い。
好適な方法としては、マグネシウム系物質を含有する部材、例えば、マグネシウム系物質のみからなる又はマグネシウム系物質を含有する金属箔や金属板、マグネシウムを含有するポリエチレン（ＰＥ）、ポリプロピレン、ポリエチレンテレフタレート（ＰＥＴ）、ナイロン（Ｎｙ）等の合成樹脂フィルムを作成し、当該フィルムを植毛台部３の植毛面（正面側）に接着、溶融等の方法で貼り付けた後、毛材を植毛することができる。
【００１０】
上記歯ブラシ１０１のヘッド部５に歯磨きペーストをつけて歯を磨くと、ヘッド部に含まれるマグネシウム系物質によって歯の汚れを落とすことができ、虫歯予防だけでなく、歯を白くするホワイトニング効果が得られる。ヘッド部に含まれるマグネシウム系物質が水と反応して水素を発生し、その水素が歯表面の汚れに作用することがマグネシウム系物質によって歯の汚れ落とし効果が発揮される一要因になっていると推測される。
【符号の説明】
【００１１】
１０１：歯ブラシ
１：本体
２：ハンドル部
３：植毛台部
４：毛材
５：ヘッド部
６：マグネシウムを含有する合成樹脂フィルム
【図１】
0003189979.tif 000003
【図２】
0003189979.tif 000004
(57)【要約】      （修正有）【課題】製造に要する労力、コスト等の低減に寄与する装飾用リボンを提供する。【解決手段】装飾用造花１０は、一端部２４及び他端部２６を有するリボン片１８の一端部を含む一部を蝶結びに結び合わせてなる蝶結び１２と、他端部２６を含むリボン片の他の一部からなるループ１４とを有する。ループ１４は、リボン片の他端部２６が蝶結び１２の結び目２８を経て、蝶結びに対して相対移動可能である。【選択図】図１
0003189973.tif 000002
【実用新案登録請求の範囲】
【請求項１】
一端部及び他端部を有するリボン片の前記一端部を含む一部を蝶結びに結び合わせてなる蝶結びと、前記他端部を含む前記リボン片の他の一部からなるループであって前記リボン片の他端部が前記蝶結びの結び目を経て前記蝶結びに対して相対移動可能に伸びるループとを有する、装飾用リボン。
【考案の詳細な説明】
【技術分野】
【０００１】
本考案は、物品の装飾、特に商品やその包装の装飾に用いられる装飾用造花に関する。
【背景技術】
【０００２】
従来、蝶結びを造花とする装飾用造花が提案されている。この装飾用造花は、一のリボン片の両端部間の中央部に他のリボン片で蝶結びに結んでなり、前記一のリボン片を介して、装飾対象に取り付けられる（特許文献１参照）。
【先行技術文献】
【特許文献】
【０００３】
【特許文献１】実開平５−６９１９１号公報
【考案の概要】
【考案が解決しようとする課題】
【０００４】
ところで、このような装飾用造花は、その製造上、構造的に簡単なものであることが望ましい。本考案は、製造に要する労力、コスト等の低減に寄与する装飾用造花を提供することにある。
【課題を解決するための手段】
【０００５】
本考案に係る装飾用造花は、一端部及び他端部を有するリボン片の前記一端部を含む一部を蝶結びに結び合わせてなる蝶結びと、前記他端部を含む前記リボン片の他の一部からなるループであって前記リボン片の他端部が前記蝶結びの結び目を経て前記蝶結びに対して相対移動可能に伸びるループとを有する。
【０００６】
本考案に係る装飾用造花は単一の構成要素である一つのリボン片により構成され、複数の構成要素からなる従来のものに比べて簡単な構造を有する。このため、その製造に要する労力、コスト等の低減を図ることが可能である。
【０００７】
装飾用造花に係る本考案にあっては、前記リボン片の一端部を含むその一部が蝶結びからなり、また、前記リボン片の他の一部がリングからなる。ここにおいて、前記リボン片の他の一部における前記リボン片の他端部が前記蝶結びに対して相対移動可能とされている。
【０００８】
本考案に係る装飾用造花による物品の装飾は、装飾対象である物品の周囲を前記リングで取り巻き、次いで、前記リボン片の他端部を前記蝶結びに対して相対移動させて前記リングの輪を縮め、これにより前記蝶結びを前記物品に取り付けることにより行う。
【図面の簡単な説明】
【０００９】
【図１】装飾用造花の斜視図である。
【図２】装飾用造花の形成手順の最初の状態にあるリボン片の斜視図である。
【図３】装飾用造花の形成手順の途中の状態にあるリボン片の斜視図である。
【図４】装飾用造花を形成手順の最後の状態にあるリボン片の斜視図である。
【図５】物品とこれに取り付けられた装飾用造花とを示す斜視図である。
【考案を実施するための形態】
【００１０】
図１を参照すると、本考案に係る装飾用造花が全体に符号１０で示されている。装飾用造花１０は蝶結び１２と、該蝶結びに連なるループ１４とを有する。装飾用造花１０は、任意の物品、例えば図５に示すような液体商品とその包装容器である瓶とからなる物品１６の装飾のためにこれに取り付けられる。
【００１１】
装飾用造花１０は、図２〜図４に示す手順に従って、一端部２４及び他端部２６を有する単一のリボン片１８の一部２０を蝶結びに結び合わせかつ該リボン片の他の一部２２をループ１４に形作ることにより形成する。リボン片１８は、合成繊維製、化学繊維製、天然繊維製等の織物又は不織布からなる。
【００１２】
より詳細には、まず、図２に示すように、リボン片１８の他端部２６を含む該リボン片の他の一部２２を湾曲させる。これにより、緩い状態のリング１４が形成される。次いで、リボン片１８の一端部２４を含む該リボンの一部２０を折り返し、引き続き、断続する２つの矢印Ａで示すように、リボン片１８の一端部２４をリボン片１８の他の一部２２が規定するリング１４に通す。
【００１３】
これにより、リボン片１８の一部２０及び他の一部２２の双方を部分的に取り巻く結び目２８を形成する（図３）。次いで、リボン片１８の一端部２４を折り曲げ（符号３０が示す折り曲げ箇所を参照）、矢印Ｂで示すように、折り曲げられた一端部２４を結び目２８に通す。これにより、２つの輪３２を有する緩い状態の蝶結び１２が形成される（図４）。
【００１４】
最後に、２つの輪３２を互いに引くことにより、蝶結び１２が固く結ばれ、また、結び目２８に巻かれた状態にあるリボン片１８の他端部２６が締め付けられる。その結果、蝶結び１２と、リング１４とを有する装飾用造花１０が形成される。ここにおいて、リボン片１８の両端部２４、２６がそれぞれ蝶結び１２における２つのタレを構成する。
【００１５】
リボン片１８の他端部２６は単に結び目２８に通され、蝶結び１２に対して相対移動可能の状態にある。このことから、他端部２６を引っ張ると他の一部２２が結び目２８を通過し、ループ１４の大きさ又は直径が漸減する。また、この状態から他端部２６を引き戻すことにより、ループ１４の直径が漸増する。
【００１６】
このことから、物品１６への装飾用造花１０の取り付けに際し、物品１６にその周囲を取り巻くようにループ１４を掛け、次いで他端部２６を引っ張ることにより、窄められたループ１４を介して、蝶結び１２を物品１６の周面に固定することができる。これにより、物品１６の大きさに合わせて物品１６への装飾用造花１０の取り付けを行うことができる。取り付けの際、物品１６を取り巻くループ１４が緩まないように、結び目２８から引き出された他端部２６を例えば粘着テープをもって物品１６に固定する。また、引き出された他端部２６が長すぎるときはその一部を切断してこれを物品１６に固定することができる。
【符号の説明】
【００１７】
１０  装飾用造花
１２  蝶結び
１４  ループ
１６  物品
１８  リボン片
２０、２２  リボン片の一部及び他の一部
２４、２６  リボン片の一端部及び他端部
２８  結び目
【図１】
0003189973.tif 000003
【図２】
0003189973.tif 000004
【図３】
0003189973.tif 000005
【図４】
0003189973.tif 000006
【図５】
0003189973.tif 000007
(57)【要約】      （修正有）【課題】ドライブする際、手、腕、首廻りの日焼けを解消でき、運転席に座りシートベルトを着用後でも簡単に着られ、首の後の一ヶ所を面ファスナーで止めることにより、ワンタッチでストレスなく着用できるドライバー用日焼け防止ブラウスを提供する。【解決手段】後ろに開こんがあり、止めは首の後ろに面ファスナーを一か所取り付け、袖口も袖幅もゆったり大きくとってあり、袖の長さは手首までとし、手の甲にあたる部分は手甲カバーがあり着丈も一般的なブラウスに比べ随分短くし、衿は余裕をもたせゆったりとしたスタンドカラーとする。【選択図】図２
0003189913.tif 000002
【実用新案登録請求の範囲】
【請求項１】
手、腕、首、胸周りの日焼けを防ぐ事を目的とし、前から袖を通し首の後ろで止める着脱とした特徴のある衣服。
【請求項２】
前記衣服は頭から通さず、着脱を可能する特徴とした請求項１記載の衣服である。
【考案の詳細な説明】
【技術分野】
【０００１】この考案は主に、ドライバーが手、腕、首、胸廻りをフロントガラスからの直射日光を避け、日焼けを防ぐものである。
【背景技術】
【０００２】この考案は上半前身、主に手、腕、首それに胸廻りを覆い、なおかつワンタッチで装着でき、全体にふんわり感を保ちながら、エアコンの併用に供い、涼やかで暑さをしのぎ、疲れにくい利点がある。
【考案の概要】
【考案が解決しようとする課題】
【０００３】従来は日よけするにあたり、手には手袋を、腕には腕ぬきを、首にはマフラーを装着していた。いざ、乗車する際に、大変面倒な装着であった。
【課題を解決するための手段】
【０００４】図１の様に後ろから前へ、袖に腕を通し、首の後ろで止める。
【考案の効果】
【０００５】ドライバーが上半前身と手、腕、首まわりの日焼け防止を短時間でストレスなく安全に装着できる。
【図面の簡単な説明】
【０００６】
【図１】ブラウス本体を示した正面図である。
【図２】ブラウス本体を示した背面図である。
【符号の説明】１  ブラウス本体
２  手甲カバー
３  ゆったりとした袖
４  ハイネック
５  着丈を短く
６  マジックテープ
７  背身頃を開ける
８  指止め
【図１】
0003189913.tif 000003
【図２】
0003189913.tif 000004
【手続補正書】
【提出日】平成25年6月11日(2013.6.11)
【手続補正１】
【補正対象書類名】実用新案登録請求の範囲
【補正対象項目名】全文
【補正方法】変更
【補正の内容】
【実用新案登録請求の範囲】
【請求項１】
ドライブする際にフロントガラスやフロントドアガラスからの直射日光を避け、手、腕、首まわりの日焼けを防ぐ女性のための服。着用している服が半袖や襟ぐりが広いものは日焼けをするため、それを防ぐため、その服の上に羽織って着る服。車のエアコンの併用で涼やかで暑さをしのぎ、又直射日光を避けることにより身体が疲れにくいという利点もある。従来は、手、腕には長手袋、首にはマフラーと出発の際に準備がめんどうであった。特に長手袋は汗ばんでいるため手を通しにくい。
【請求項２】
この考案の服は、袖を大きくし、腕を通しやすくした。また袖口を大きくとり、袖口からのエアコンの風が入りやすいためである。
【請求項３】
手の甲も日焼けをしないよう手甲カバーをつけた。
【請求項４】
前身頃は運転席に座るため短くした。
【請求項５】
後身頃は座席の背面があるので、従来着ている服と考案の服の部分が二重に重なり暑いのでなるだけ開けるようにした。
【請求項６】
襟ぐりはスタンドカラーにし、日焼けを防ぐ工夫をした。
【請求項７】
袖を通し首の後ろを面ファスナーで止めることで、素早く着脱できる。
【手続補正２】
【補正対象書類名】明細書
【補正対象項目名】０００６
【補正方法】変更
【補正の内容】
【０００６】
【図１】ブラウス本体を示した正面図である。
【図２】ブラウス本体を示した背面図である。
【符号の説明】
１  ブラウスの本体
２  手甲カバー
３  ゆったりとした袖
４  ハイネック
５  着丈を短く
６  面ファスナー
７  背面頃を開ける
８  指止め
【手続補正書】
【提出日】平成25年10月4日(2013.10.4)
【手続補正１】
【補正対象書類名】実用新案登録請求の範囲
【補正対象項目名】全文
【補正方法】変更
【補正の内容】
【実用新案登録請求の範囲】
【請求項１】
夏時期、女性ドライバーの手、腕、首廻りが日焼けしない様にもう一枚着る服。前から着ることを特徴とするドライバー用日焼け防止ブラウス。
【請求項２】
腕を通しやすいように大きい袖にし、袖口も大きくすることを特徴とする請求項１記載のドライバー用日焼け防止ブラウス。
【請求項３】
手の甲の手甲カバーを取り付けることを特徴とする請求項１記載のドライバー用日焼け防止ブラウス。
【請求項４】
前身項は運転席に座るため極端に短くすることを特徴とする請求項１記載のドライバー用日焼け防止ブラウス。
【請求項５】
後身項はできるだけ開けることを特徴とする請求項１記載のドライバー用日焼け防止ブラウス。
【請求項６】
衿はスタンドカラーを特徴とする請求項１記載のドライバー用日焼け防止ブラウス。
【請求項７】
服の止めは、首の後で止める。面ファスナーを用いることを特徴とする請求項１記載のドライバー用日焼け防止ブラウス。
【手続補正書】
【提出日】平成26年1月23日(2014.1.23)
【手続補正１】
【補正対象書類名】実用新案登録請求の範囲
【補正対象項目名】請求項１
【補正方法】変更
【補正の内容】
【請求項１】
この考案のブラウスは後ろに開こんがあり、止めは首の後ろの一か所とし、袖口も袖幅もゆったり大きくとってあり、袖の長さは手首までとし、手の甲にあたる部分は手甲カバーがあり着丈も一般的なブラウスに比べ随分短くし、衿は余裕をもたせゆったりとしたスタンドカラーとすることを特徴とするドライバー用日焼け防止ブラウス。
【手続補正２】
【補正対象書類名】実用新案登録請求の範囲
【補正対象項目名】請求項７
【補正方法】変更
【補正の内容】
【請求項７】
前から着ることによりブラウスの開こんを後ろにし、首のつけ根あたりに面ファスナーを一か所取り付けることを特徴とする請求項目１記載のドライブ用日焼け防止ブラウス。
(57)【要約】      （修正有）【課題】履物のかかとの構造において、おもにサンダル、パンプス、ミュール、特に厚底サンダル、厚底パンプスのかかとに収納ボックスを備えた履物のかかとの構造を提供する。【解決手段】靴のかかと部分に空洞を造り収納ボックス３とする。扉６には鍵穴５及び施錠用の鍵４で構成する。収納スペースには物を入れる収納箱あるいは引き出しを収納して出し入れすることももちろん、収納ボックスに直に収納も出来る扉に鍵を備えて成る靴のかかとの構造に関する。【選択図】図１
0003189920.tif 000002
【実用新案登録請求の範囲】
【請求項１】
履物（１）のかかと（２）に小物入れ用収納スペースとして遊用出来る収納ボックス（３）を備えたことを特徴とする履物のかかとの構造。
【請求項２】
前記収納ボックス（３）の扉（６）に備えた鍵穴（５）を開閉する鍵（４）と備えたことを特徴とする履物のかかとの構造。
【請求項３】
前記収納ボックス（３）を備えた履物は人が履く実用履物用だけでなくミニチュアサイズの履物にして、該履物の全体素材及び該収納ボックスを透明あるいは半透明のガラス、プラステイック、ポリエステル及び金属、貴金属で製造された玩具の履物にも援用することを特徴とするかかとに収納ボックスを備えたことを特徴とする履物のかかとの構造。
【考案の詳細な説明】
【技術分野】
【０００１】  本考案は履物のかかとの構造に関し、主に厚底サンダル、パンプス、ミュール他子供、大人を問わずレディースシューズ、キッズシューズ、防寒シューズ、ボリュームサンダルのかかと部分に空洞を設けて後、小物入れ用の収納スペースとして遊用する収納ボックスを備えたかかとの構造に係る。その出し入れ口には開閉出来る扉を設けてさらに収納物の安全管理のためドアには鍵穴と施錠用の鍵を備えた収納ボックスのある実用に供する履物として、及びミニチュアサイズの展示装飾に供して拡販に資する履物の構造に係る。
【背景技術】
【０００２】  従来からかかとを備える履物で特に厚底サンダルにおいてのかかとの主目的はデザイン性の他、歩行を安定して支えるための構造に特徴があった。
【考案の概要】
【考案が解決しようとする課題】
【０００３】  しかしながら、これまで履物の構造においての表面形状は装飾性に富んでいるがかかとを含めて内部構造には触れてこなかった。【０００４】  本考案は、履物のかかとの内部をくり抜いて空間を造り、その空いたスペースを遊用して大人用、子供用を問わず小物入れや玩具収納スペースとして、あるいは秘密の引き出しとしての収納ボックスを備えた履物のかかとを提供することを目的とする。
【課題を解決するための手段】
【０００５】  本考案により、かかとに収納ボックスを設ける。【０００６】  本考案の収納ボックスには扉を設け、扉の開閉手段には鍵で開く鍵穴を装置する。【０００７】  鍵の装置はかかとの収納ボックスの背面あるいは側面に設置出来るが本考案では背面設置で説明する。【０００８】  本考案は履物のかかとに空洞を設けり収納ボックスとする。ドア式扉、あるいは引き出し式扉のいずれかで開閉できる収納スペースを備えた履物とする。
【考案の効果】
【０００９】  本考案の履物の構造によれば、収納スペースを利用して履物としての利用だけでなく履物を玩具やあるいは各自必要品の小物入れとしての用途も楽しむことがでるため従来の履物には無かった付加価値の高い履物の拡販に資することが出来る。
【考案を実施するための形態】
【００１０】  以下、本考案の引き出しを備えた履物の構造をその実施の最良の形態について図面に示す実施例に基ずいて具体的に説明する。
【図面の簡単な説明】
【００１１】
【図１】本考案履物で厚底サンダルのかかとに収納ボックスを設けて利用例を示した側面図である。
【図２】本考案の収納ボックスを設けて扉を閉じた背面図である。
【図３】本考案の収納ボックスの扉を開いた背面図である。
【符号の説明】
【００１２】１・・・・・・・・・・履物
２・・・・・・・・・・かかと
３・・・・・・・・・・収納ボックス
４・・・・・・・・・・鍵
５・・・・・・・・・・鍵穴
６・・・・・・・・・・扉
【図１】
0003189920.tif 000003
【図２】
0003189920.tif 000004
【図３】
0003189920.tif 000005
【手続補正書】
【提出日】平成26年1月16日(2014.1.16)
【手続補正１】
【補正対象書類名】実用新案登録請求の範囲
【補正対象項目名】全文
【補正方法】変更
【補正の内容】
【実用新案登録請求の範囲】
【請求項１】
履物（１）のかかと（２）に小物入れ用収納スペースとして使用できる収納ボックス（３）を備えたことを特徴とする履物のかかとの構造。
【請求項２】
前記収納ボックス（３）の扉（６）に備えた鍵穴（５）を開閉する鍵（４）を備えたことを特徴とする請求項１に記載の履物のかかとの構造。
【請求項３】
ミニチュアサイズの玩具の履物のかかとに小物入れ用収納スペースとして使用できる収納ボックスを備え、該履物の全体素材及び該収納ボックスが透明あるいは半透明のガラス、プラステイック、ポリエステル又は金属、貴金属で製造されたミニチュアサイズの玩具の履物。
(57)【要約】      （修正有）【課題】自転車、バイク、スクーターの乗車時に、ショルダーバッグを持って安定して乗ることができるショルダーバッグストッパー及びショルダーバッグを提供する。【解決手段】バイクのシート本体Ａに面ファスナーＢを付ける。また、ショルダーバッグの底に面ファスナーを付ける。【選択図】図１
0003189915.tif 000002
【実用新案登録請求の範囲】
【請求項１】
バイクやスクーターのリァシートにマジックテープを付け  ショルダーバッグの底に着けたマジックテープと接着させて  バイクの乗車時に  背中のバッグを安定させる。
【考案の詳細な説明】
【技術分野】
【０００１】
本考案は肩紐式のショルダーバッグを持って、バイクやスクーター  自転車に乗った時に  背中のバッグを安全に  安定させるにはどうすればよいかを考えました  
【背景技術】
【０００２】
２５年２月末に１０年ぶりにバイクを買って  スクーターから乗り換えて  バイクに乗り始めたとき  スクーターは足置きに荷物を置いていたのが  スクーターと違い  足置がなくなったので  リュックサックを利用した  夏になったらリュックサックは背中が暑い  ショルダーバッグに変えなければと思い  ショルダーバッグを掛けてバイクに乗ってみた  背中のところで安定が悪い  安全に安定させる方法は  
【考案の概要】
【考案が解決しようとする課題】
【０００３】
この考案は、ショルダーバッグを持って  安全に安定してバイクに乗るための考案です。
【課題を解決するための手段】
【０００４】
本考案は、ショルダーバッグを持って  安全に安定してバイクに乗るため  マジックテープをシート上面とバッグ底面に取り付けて  マジックテープでショルダーバッグバッグとシートを固定する。
【考案の効果】
【０００５】
ショルダーバッグをバイクのシートに固定でき  安心して安全に安定したツーリングが楽しめます。スクーターやバイクのライダー  自転車乗りの中高生  皆に楽しく安全に  ツーリングを楽しんでもらえる  新しいタイプのショルダーバッグが売れる。
【図面の簡単な説明】
【０００６】
【図１】図は  タンダム用リァシートのベルトに  マジックテープを付けたもの
【図２】図は  ショルダーバッグの底の部分に  マジックテープを付けたもの
【図３】図はスクーターのシート全体を  マジックテープで覆ったもの
【考案を実施するための形態】
【０００７】
ショルダーバッグの底のマジックテープを必ずポジにする
【実施例】
【０００８】
図１のバイクのリァ―シートのベルトの上に図２の底にマジックテープを付けたショルダーバッグを乗せる
【産業上の利用可能性】
【０００９】
バイク  スクーターのライダー  自転車の中高生がバッグを新しくする。マジックテープが売れる
【符号の説明】
【００１０】
A：シート本体
Ｂ：バイクのシートのベルト部分にマジックテープ
Ｃ：バッグの底
E：マジックテープ
F：バイクのシート  マジックテープ付き
【図１】
0003189915.tif 000003
【図２】
0003189915.tif 000004
【図３】
0003189915.tif 000005
【手続補正書】
【提出日】平成25年9月11日(2013.9.11)
【手続補正１】
【補正対象書類名】実用新案登録請求の範囲
【補正対象項目名】全文
【補正方法】変更
【補正の内容】
【実用新案登録請求の範囲】
【請求項１】
バイクやスクーターのリァシート、自転車の荷台に面ファスナーを付け  ショルダーバッグの底に着けた面ファスナーと接着させて  バイク、自転車の乗車時に  背中のバッグを安定に保持することを特徴とする考案です
【手続補正２】
【補正対象書類名】明細書
【補正対象項目名】全文
【補正方法】変更
【補正の内容】
【考案の詳細な説明】
【技術分野】
【０００１】本考案は肩紐式のショルダーバッグを持って、バイクやスクーター  自転車に乗った時に  背中のバッグを安全に  安定させるにはどうすればよいかを考えました  
【背景技術】
【０００２】２５年２月末に１０年ぶりにバイクを買って  スクーターから乗り換えて  バイクに乗り始めたとき  スクーターは足置きに荷物を置いていたのが  スクーターと違い  足置がなくなったので  リュックサックを利用した  夏になったらリュックサックは背中が暑い  ショルダーバッグに変えなければと思い  ショルダーバッグを掛けてバイクに乗ってみた  背中のところで安定が悪い  安全に安定させる方法を考えた  
【考案の概要】
【考案が解決しようとする課題】
【０００３】この考案は、ショルダーバッグを持って  安全に安定してバイクに乗ること特徴とする考案です。
【課題を解決するための手段】
【０００４】本考案は、ショルダーバッグを持って  安全に安定してバイクに乗るため  面ファスナーをシート上面とバッグ底面に取り付けて  面ファスナーでショルダーバッグバッグとシートを固定する。
【考案の効果】
【０００５】ショルダーバッグをバイクのシートに固定でき  安心して安全に安定したツーリングが楽しめます。スクーターやバイクのライダー  自転車乗りの中高生  皆に楽しく安全に  ツーリングを楽しんでもらえる  新しいタイプのショルダーバッグが売れる。
【図面の簡単な説明】
【０００６】
【図１】図は  タンダム用リァシートのベルトに  面ファスナーを付けたもの
【図２】図は  ショルダーバッグの底の部分に  面ファスナーを付けたもの
【図３】図はスクーターのシート全体を  面ファスナーで覆ったもの
【考案を実施するための形態】
【０００７】ショルダーバッグの底の面ファスナーを必ずポジにする
【実施例】
【０００８】図１のバイクのリァ―シートのベルトの上に図２の底に面ファスナーを付けたショルダーバッグを乗せる
【産業上の利用可能性】
【０００９】バイク  スクーターのライダー  自転車の中高生がバッグを新しくする。面ファスナーが売れる
【符号の説明】
【００１０】A：シート本体Ｂ：バイクのシートのベルト部分に面ファスナーC：面ファスナーD：バッグの底E：バイクのシート（ベルトの着いてない）  自転車の荷台  面ファスナー付き 
【手続補正３】
【補正対象書類名】図面
【補正対象項目名】全図
【補正方法】変更
【補正の内容】
【図１】
0003189915.tif 000006
【図２】
0003189915.tif 000007
【図３】
0003189915.tif 000008
【手続補正書】
【提出日】平成25年11月12日(2013.11.12)
【手続補正１】
【補正対象書類名】実用新案登録請求の範囲
【補正対象項目名】全文
【補正方法】変更
【補正の内容】
【実用新案登録請求の範囲】
【請求項１】
バイクもしくはスクーターのリァシート、又は、自転車の荷台に面ファスナーを付けたことを特徴とするショルダーバッグストッパー。
【請求項２】
ショルダーバッグの底に面ファスナーを付けたことを特徴とするショルダーバッグ。
(57)【要約】      （修正有）【課題】子供がヘルメットをかぶった状態でも頭部がレインカバー上部に接触することを防止出来る自転車用チャイルドシートのレインカバー取り付け用アダプターを提供する。【解決手段】チャイルドシートのヘッドガードのように頭部を囲む形状のもの１に支柱を取り付け、それを自転車用チャイルドシート３のヘッドガード部分２に取り付ける。レインカバーの取り付け高さを変更することが可能となる。【選択図】図１
0003189949.tif 000002
【実用新案登録請求の範囲】
【請求項１】
自転車用チャイルドシートのヘッドガード部分に取り付けることにより、従来よりも高い位置にレインカバーを取り付けることが可能となる装置。
【考案の詳細な説明】
【考案の概要】
【考案が解決しようとする課題】
【０００１】
子供乗せ自転車のチャイルドシートにレインカバーを装着した場合、レインカバー上部の最大高はチャイルドシートのヘッドガードの高さに依存する。チャイルドシートに乗車中の子供はヘルメットをかぶるため、チャイルドシートの使用年齢や身長が適正な範囲であったとしても、ヘルメットをかぶった子供の頭部の高さが、ヘッドガードの高さよりも高い位置になることがある。その場合、子供は頭部でレインカバーを支えなくてはならなくなり、正常なレインカバーの装着が困難になるばかりか、子供にも不快感を与えてしまう。
本発明は、上述したような問題点を解決するためのものである。
【課題を解決するための手段】
【０００２】
レインカバー取り付け部の最大高が、ヘルメットをかぶった子供の頭部の高さよりも高い位置になるように、取り付け部分の高さを上げることが可能となる当発明品である装置をチャイルドシートのヘッドガード部分に取り付け、従来よりも高い位置にレインカバーを装着できるようにする。
【考案の効果】
【０００３】
この発明品を取り付けることにより、チャイルドシートのヘッドガードの高さよりも高い位置にレインカバーを装着することが可能となる。これにより、子供がヘルメットをかぶった状態でも頭部がレインカバー上部に接触することを防止出来るため、チャイルドシートの適正使用期間内において、正常なレインカバーの装着が可能となる。
【図面の簡単な説明】
【０００４】
【図１】この発明品の具体例斜視図を示す。
【図２】この発明品本体の斜視図を示す。
【符号の説明】
【０００５】
1、発明品本体
2、チャイルドシート、ヘッドガード部分
3、チャイルドシート本体部分
【図１】
0003189949.tif 000003
【図２】
0003189949.tif 000004
【手続補正書】
【提出日】平成26年1月30日(2014.1.30)
【手続補正１】
【補正対象書類名】実用新案登録請求の範囲
【補正対象項目名】全文
【補正方法】変更
【補正の内容】
【実用新案登録請求の範囲】
【請求項１】
自転車用チャイルドシートのヘッドガード部分に取り付けることにより、レインカバーの取り付け高さを変更することが可能となる、チャイルドシートのヘッドガードのように頭部を囲む形状のものに支柱を取り付けた構造を有する、レインカバー取り付け用のアダプター。
(57)【要約】【課題】手巻きタバコを作るための水塗布具を提供する。【解決手段】三角形を基本とした柄１の底辺部に、水塗布対象の糊部分とほぼ等しい形状の吸水体２を、柄１に対して９０度に配置し、柄１の三角形の底辺部以外の頂点３を切断した形状の水塗布具。さらに、柄１が、水塗布時に柄１の裏側に位置する水塗布対象部位が透けて見える材質からなる水塗布具。【選択図】図１
0003189945.tif 000002
【実用新案登録請求の範囲】
【請求項１】
手巻きタバコを作るための水塗布具であって、
三角形を基本とした柄１の底辺部に、水塗布対象の糊部分とほぼ等しい形状の吸水体２を、柄１に対して９０度に配置し、柄１の三角形の底辺部以外の頂点３を切断した形状であることを特徴とする水塗布具。
【請求項２】
請求項１に記載の水塗布具であって、柄１が、水塗布時に柄１の裏側に位置する水塗布対象部位が透けて見える材質からなることを特徴とする水塗布具。
【考案の詳細な説明】
【技術分野】
【０００１】手巻きタバコを作るための水塗布具に関する。
【背景技術】
【０００２】手巻きタバコとは、市販の「紙巻タバコ」が高価な海外ではよく普及している喫煙方法で、刻みタバコ状のタバコ葉を喫煙者自身が、巻き紙を巻いて紙巻きタバコを作るものである。日本でも近年、市販の「紙巻タバコ」が高価になり愛用者が増えている。【０００３】手巻きタバコを作成する上で必要な物は、タバコ葉、巻き紙、好みに応じて喫煙フィルターそして巻き具である。巻き具とは、タバコ葉を巻き紙で包むために用いる用具であり、・巻き寿司を作る要領で使う「ローリングマット」、手動でローラーを回す「ローリングマシーン」、蓋の開閉でローラーを回す「オートマティックローリングＢＯＸ」の３種類が代表的な用具である。なお、巻き具および、巻き紙は、作成する手巻きタバコの長さに応じて数種類の規格が存在する。【０００４】いずれの巻き具を使用した場合でも、巻き紙の乾燥した糊部に水を塗布して接着し手巻きタバコを作成するが、専用の水塗布具が無いため「糊部分を舌で舐める」、「筆、綿棒等を用いて水を塗布」するのが一般的である。【０００５】糊部分を舌で舐める方法の場合不衛生で、作り置きに向かない。また、糊が人体にとって有害な可能性が否定できない。【０００６】筆、綿棒等で水を塗布する場合、塗布具を糊に沿って移動させる必要があり熟練を要する
【考案の概要】
【考案が解決しようとする課題】
【０００７】本考案は、手巻きタバコ用巻き紙の糊部の水塗布を、人体に安全で衛生的かつ容易に行うための水塗布具を提供することにある。【０００８】ここで言う人体に安全で衛生的にとは、糊部分を舌で舐めないことであるが、それに代わる方法は、専用の市販の水塗布具が無いため、筆、綿棒等を用いることになる。【０００９】筆、綿棒等を用いる場合巻き紙の糊部分に沿って移動させるが、糊部分をはみ出して水が付着し易く、熟練を要し時間がかかるため、糊部分に正確かつ容易に水塗布できる水塗布具が求められる。
【課題を解決するための手段】
【００１０】本考案の水塗布具は、絵筆の軸に相当する柄と、絵筆の筆先に相当する吸水体からなる水塗布部から構成される。【００１１】絵筆の軸に相当する柄は、板状の三角形を基本とし水塗布対象の糊部分の長さにほぼ等しい幅の底辺を持ち、操作性、収納性を考慮し三角形の底辺を除く一つの頂点を切断した形状である。三角形を基本とした理由は、巻き具を使用した場合の「巻き紙左右ガイド」に対して巻き紙が左右に傾いてセットされた場合、水塗布具と巻き紙左右ガイドが干渉するのを防ぐ為であると同時に、押し付ける圧力加減で塗布する水分量を調整するために、広い面積で持ち易く操作性を良くするためである。【００１２】さらに、柄の下にある巻き紙の位置を視認する為に、柄は透明または半透明あるいは非透明で網状または穴あきの材質である。また生活の中で塗布具自体を見失わないために、着色した透明または半透明の柄とすると良い。【００１３】絵筆の筆先に相当する水塗布部は、巻き紙の糊部分に正確かつ容易に水塗布するために、水塗布対象の糊部分とほぼ等しい形状の吸水体でスポンジまたは不織布等からなり、吸水体に水をしみこませ、糊面に押し付けて水塗布する。この水塗布部は上記形状の柄の三角形の底辺に位置し、柄に対して９０度に配置される。
【考案の効果】
【００１４】簡単な構造で水塗布操作が容易な手巻きタバコ用の水塗布具が提供できる。
【図面の簡単な説明】
【００１５】
【図１】本考案の実施例の平面図である。
【図２】本考案の実施例の正面図である。
【図３】本考案の実施例の側面図である。
【図４】実施例の使用方法を示す図で、巻き紙が巻き具に傾斜してセットされた例を示す図である。
【考案を実施するための形態】
【実施例】
【００１６】本考案の水塗布具の形状と使用方法を図および符号を参照しながら説明すると、図１の本考案の実施例の平面の形状において、柄１は三角形の底辺部に吸水体２を配置し、底辺部以外の三角形の頂点部分３を切断した形状となる。このとき基本となる三角形は持ち易さや操作し易さの点で重要である。なお、三角形の形状は任意である。また、底辺以外の２辺に装飾的な形状変更を施すことができる。【００１７】吸水体２はスポンジや不織布等からなり、巻き紙７の糊部８全体を覆う大きさであり、柄１の底辺部に耐水性を有する接着剤または両面テープ等で固定される。このとき図３に示すように、吸水体２は柄１に対して９０度に配置される。【００１８】図４は巻き具４での本考案の水塗布具９の使用方法を示す図である。巻き具４に巻き紙７をセットし水塗布対象部位の糊部８と水塗布具９の対応を目視しながら位置決めし、水を吸い込ませた吸水体２を糊部８に押し付けることで、糊部８の全面に水塗布が完了する。このとき、巻き紙７が巻き具４に傾斜してセットされた場合、右ガイド５または左ガイド６と水塗布具９が干渉するのを防ぐために、柄１は三角形を基本とした形状が有効である。また、この形状は、押し付ける圧力加減で塗布する水分量を調整するために、持ち易く操作性が良いことにも役立っている。
【符号の説明】
【００１９】１  柄
２  水塗布部の吸水体
３  切断した頂点
４  巻き具
５  巻き紙右ガイド
６  巻き紙左ガイド
７  水塗布対象の巻き紙
８  水塗布対象部位で巻き紙の糊部
９  本考案の水塗布具
【図１】
0003189945.tif 000003
【図２】
0003189945.tif 000004
【図３】
0003189945.tif 000005
【図４】
0003189945.tif 000006
(57)【要約】      （修正有）【課題】タール成分をフィルター内に如何に多く分散し、フィルターの中心部へ纏まらないようにするフィルターたばこを提供する。【解決手段】フィルターたばこの煙がフィルターの中心部から排出するのを樹脂繊維の吸い口表面を高温で溶かし固めること５により、たばこ煙はフィルター１内からフィルター１の周囲へ移動し排出拡散する。【選択図】図１
0003189947.tif 000002
【実用新案登録請求の範囲】
【請求項１】
フィルターたばこの樹脂繊維フィルターの吸い口面を高温で溶かし固めるまたは吸い口面を樹脂フィルム或は樹脂板を固定、固めたところのフィルターたばこ。
【考案の詳細な説明】
【技術分野】
【０００１】  たばこ煙のフィルターに関する技術
【背景技術】
【０００２】
【先行技術文献】
【特許文献】
【０００３】
【特許文献１】  昭和６５年以降の登録無し。
【特許文献２】
【非特許文献】
【０００４】
【非特許文献１】
【非特許文献２】
【考案の概要】
【考案が解決しようとする課題】
【０００５】タール成分をフィルター内に如何に多く分散し、フィルターの中心部へ纏まらないようにする。
【課題を解決するための手段】
【０００６】フィルターたばこの煙がフィルターの中心部から排出するのを樹脂繊維フィルターの吸い口表面を高温で溶かし固めることにより、たばこ煙の煙はフィルター内に拡散される。
【考案の効果】
【０００７】喫煙者の体内へ吸引されるタール成分を少なくすることで、タール成分を喫煙者の体内に滞留するのを減らすことができる。
【図面の簡単な説明】
【０００８】
【図１】「フィルターたばこを示した側面図である」
【図２】「フィルターたばこの吸い口を示した正面図である」
【考案を実施するための形態】
【０００９】従来のフィルターたばこ類はタール成分を喫煙者により少なくする方法として、活性炭類をたばことフィルターとの間へ配置しているもの、フィルターを巻く紙にギザギザのひだをつけたものなどが考案されているものの、フィルター自体での改良などについての考案件名がなかった。
【実施例】
【００１０】樹脂繊維フィルターの吸い口表面を高温で溶かし固めことで、たばこ煙の煙は樹脂繊維フィルターの吸い口表面から排出されない。
【産業上の利用可能性】
【００１１】喫煙者の体内へ吸引されるタール成分を少なくすることで、タール成分を喫煙者の体内に滞留するのを減らす方法として、フィルターたばこの樹脂繊維フィルターの吸い口面を高温で溶かし固めることで、吸い口の中央からのたばこ煙は遮断され、たばこ煙は樹脂繊維フィルターの周囲と樹脂繊維フィルターを覆うように巻かれた紙との隙間から排出され喫煙者の口の中へ移動することとなる。
市場においては、喫煙者の健康を害することのない趣向品を求めて技術的研究が続いてきている現状から、理想的フィルターたばこの出現が期待されている。
【符号の説明】
【００１２】１  樹脂繊維フィルター
２  樹脂繊維フィルターを覆う紙
３  樹脂繊維フィルターの側面から排出する空気層
４  フィルターたばこを覆う紙
５  吸い口面を高温で溶かし固めた固体
【図１】
0003189947.tif 000003
【図２】
0003189947.tif 000004